(57)【要約】【課題】身体の正中線に対する足の歪みやＯ脚等を無くし、正常な二足歩行を可能にする健康パンティーストッキングを提供する。【解決手段】身体の中央に位置する正中線に両足の親指、足根中足関節それぞれを寄せ付けるようストッキング部２Ａ，２Ｂの爪先部を、親指・第一中指を纏めて収容する第一袋部４Ａと、第二中指・第三中指・小指を別々に収容する第二袋部４Ｂ、第三袋部４Ｃ、第四袋部４Ｄとの四つの爪先挿入袋部４に分離する。ストッキング部２Ａ，２Ｂは、足首部から太股部に被着可能なレッグ部８と、足首部から爪先部までを被着可能なフット部９とから成り、フット部９は銀糸を密に重ねた編組織とする。パンティー部３は人体の腸骨に対する締め付け作用を呈するよう銀糸で編成した腸骨固定用緊締部６と、股部相当部位に銀糸で網目状に閉塞編成して成る股部側編組織面部７とを備える。【選択図】          図１
2004339636.tif 000002
【特許請求の範囲】
【請求項１】
左右のストッキング部とパンティー部とを一連に編成して成るパンティーストッキング本体において、身体の中央に位置する正中線に両足の親指、足根中足関節それぞれを寄せ付けるようストッキング部の爪先部を、親指・第一中指を纏めて収容させる第一袋部と、第二中指・第三中指・小指を個々別々に収容させる第二袋部、第三袋部、第四袋部とのそれぞれ四つの爪先挿入袋部に分離して成ることを特徴とする健康パンティーストッキング。
【請求項２】
ストッキング部は、足首部から太股部にかけて被着させるレッグ部と、足首部から爪先部までを被着させるフット部とから成り、フット部は、銀糸を密に重ねた編組織としてある請求項１記載の健康パンティーストッキング。
【請求項３】
パンティー部には、人体の腸骨に対する締め付け作用を呈するよう銀糸で編成されたベルト状の腸骨固定用緊締部を備えて成る請求項１または２記載の健康パンティーストッキング。
【請求項４】
パンティー部は、股部相当部位に銀糸で網目状に閉塞編成して成る股部側編組織面部を備えて成る請求項１乃至３のいずれか記載の健康パンティーストッキング。
【発明の詳細な説明】
【０００１】
【発明の属する技術分野】
本発明は、履着することで足の歪みを無くし、正常な二足歩行を可能にするタイツ状の健康パンティーストッキングに関するものである。
【０００２】
【従来の技術】
従来から、基本的に脊柱と骨盤とを中心に治療を組み立てる技術であるカイロプラクテイック療法が知られており、またアプライド・キネシオロジー（ＡＫ）、仙骨・後頭骨テクニックも臨床的煩悶の中から現れてきた技術である。しかし、このような古典的な療法テクニックだけでは臨床的に対処しきれず、あるいは不十分なケースが多く見られるのが実情である。ところが近年において、四肢その他に生じる歪みの原因と言われてきた脊柱・骨盤の歪みを、結果として変位の現れた脊柱・骨盤へと位置付けることによって、足の歪みがサブラクセイションの原因であると結論できるものとなった。
【０００３】
具体的には、足関節が歪んでくると正常な二足歩行に対し数々の障害が現れるのである。すなわち正常な二足歩行とは、踵骨が着地し、第五中足骨に体重が掛かる状態であり、けりだしは第五中足骨から第一中足指節関節に体重が移動し、第一指節足でけりだすものとなる。この一連の運動に歪み等の変化が生じると、四肢や脊柱に障害をもたらすことになる。正常な足関節は一定の運動で成り立っているが、歪みが生じた足関節はリズムが狂う。この狂ったリズムをかばうために四肢や脊柱が補正作用を補うことによって、これらに負担が生じるものとなるのである。
【０００４】
また、従来からパンティーストッキングが提供されており、このパンティーストッキングは、左右のストッキング部とパンティー部とを一連に編成し、各種ナイロン加工糸を用いて編まれた比較的薄いものであり、しかもストッキング部の爪先部は、親指をはじめ他の四本の指が纏めて収容されるように筒状の指袋となっているのである。しかしながら、このようなストッキング部の爪先部は、五本の指が同じ指袋に入っていることから、狭くて窮屈であり、指を動かし難く、且つ指先に力が入らず、そのため歩行中に蹴躓いたり、踏ん張りがきかずに転倒したりする等の問題点があった。
【０００５】
このような問題点を解決すべく、パンティーストッキング本体の爪先部を、親指が入る親指袋と他の四本の指が入る指袋に分離して成るものがある（特許文献１参照）。また、パンティーストッキング本体の足の指部分が五本とも指の形になって指が分かれて挿入できるようにしたものがある（特許文献２参照）。
【０００６】
【特許文献１】
登録実用新案第３０４９５２８号公報
【特許文献２】
特開平８−１９９４０３号公報
【０００７】
【発明が解決しようとする課題】
このように従来のパンティーストッキングでは、親指が入る親指袋と他の四本の指が入る指袋に分離して構成したり、また、パンティーストッキング本体の足の指部分が五本とも指が形になって指が分かれて挿入できるように構成したりして、親指と第一中指とが分離した状態となるため、その履用に際し、歪みによって足関節が開いてくることをがあり、これによって足の全ての指骨が左右外方へ流れて行くのである。このため膝関節は外に向き始めて両足がＯ脚になって膝に角度が生じて外側に出てくるようになる。しかも、右と左の膝角度が違うため、その捩れで大腿骨頭腸骨の角度も違うものとなり、このために左右の足にびっこが生じ、またその狂いで胸廓を狂わしてしまい、首、頭の順番に捩れが起きるのである。さらに、人間は右利きが主たるものだから右肩が前に、左は後ろに行くことで顔にも捩れが生じ、手足も曲がり、腰と背中も前に曲がってしまう等の種々の問題点が生じるのである。
【０００８】
そこで本発明は叙上のような従来存した諸事情に鑑み創出されたもので、腰部、両脚足に履着することで身体の正中線に対する足の歪みやＯ脚等を無くし、その結果、正常な二足歩行を可能にすることで四肢と脊柱との連動、気の流れである経絡等を十分に考慮して、これらを正常にするようにし、しかも窮屈さを感じさせず、指を動かし易く、且つ指先に力が入って歩行中に蹴躓いて転倒することもない等のように改良され、また腰部の歪み、腰痛等を解消するばかりでなく、蒸れその他も防止できるようにした健康パンティーストッキングを提供することを目的とする。
【０００９】
【課題を解決するための手段】
上述した課題を解決するため、本発明にあっては、左右のストッキング部２Ａ，２Ｂとパンティー部３とを一連に編成して成るパンティーストッキング本体１において、身体の中央に位置する正中線Ｑに両足の親指Ｐ１、足根中足関節それぞれを寄せ付けるようストッキング２Ａ，２Ｂの爪先部を、親指Ｐ１・第一中指Ｐ２を纏めて収容させる第一袋部４Ａと、第二中指Ｐ３・第三中指Ｐ４・小指Ｐ５を個々別々に収容させる第二袋部４Ｂ、第三袋部４Ｃ、第四袋部４Ｄとのそれぞれ四つの爪先挿入袋部４に分離して成るものである。
ストッキング部２Ａ，２Ｂは、足首部から太股部にかけて被着させるレッグ部８と、足首部から爪先部までを被着させるフット部９とから成り、フット部９は、銀糸を密に重ねた編組織としてあるものとできる。
パンティー部３には、人体の腸骨に対する締め付け作用を呈するよう銀糸で編成されたベルト状の腸骨固定用緊締部６を備えて成るものとできる。
パンティー部３は、股部相当部位に銀糸で網目状に閉塞編成して成る股部側編組織面部７を備えて成るものとできる。
【００１０】
以上のように構成された本発明に係る健康パンティーストッキングにおいて、親指Ｐ１・第一中指Ｐ２を纏めて収容させる第一袋部４Ａと、第二中指Ｐ３・第三中指Ｐ４・小指Ｐ５を個々別々に収容させる第二袋部４Ｂ、第三袋部４Ｃ、第四袋部４Ｄとのそれぞれ四つの爪先挿入袋部４は、身体の中央に位置する正中線Ｑに両足の親指Ｐ１、足根中足関節それぞれを寄せ付けさせるものとなり、これに追従して第二中指Ｐ３・第三中指Ｐ４・小指Ｐ５を速やかに正中線Ｑに引き寄せる。
これにより薄筋・長内転筋・錐体筋・小内転筋・大内転筋・中間広筋・内側広筋・膝蓋靱帯・大腿道筋等、膝の上の全ての筋肉に力が入って、失禁が解消され、全ての正中線Ｑを揃わせる。鼻骨・剣状突起・臍・尾骨・恥骨・足関節等の揃いを可能にさせる。
フット部９は、摩擦の激しいフット部９自体の強度を高めさせ且つフィット性を向上させる。
腸骨固定用緊締部６は、パンティーストッキングを履着した際に、パンティー部３を人体の腸骨に対してしっかりと締め付け固定させると共に、銀糸による防臭性によって腰部の発汗等による汚臭の発生を阻止させ、且つ静電気防止性、防菌性、保温性によって腰部を保護させる。
股部側編組織面部７は、網目状の銀糸による閉塞編成により股部の蒸れ等を防止させると共に、特に女性の生理等によって発生した汚臭の外部への漏出等を阻止させる。
【００１１】
【発明の実施の形態】
以下図面を参照して本発明の一実施の形態を説明すると、図において示される符号１は、左右のストッキング部２Ａ，２Ｂとパンティー部３とを一連に編成して成るパンティーストッキング本体であり、ストッキング部２Ａ，２Ｂは、足首部から太股部にかけて被着させるレッグ部８と、足首部から爪先部までを被着させるフット部９とから形成されている。
【００１２】
パンティーストッキング本体１は、フット部９を両足Ｐそれぞれに履着することで足Ｐの歪みを無くし、正常な二足歩行を可能にするための例えばナイロン、ポリエステル等の合成樹脂繊維製、あるいは木綿繊維製等から成る。しかもフット部９は、足首相当位置まで例えば銀糸を重ね編みする等の如く、レッグ部８に比してグラデーション編により密な編組織としてあり、これによって摩擦の激しいフット部９自体の強度を高め、フィット性を向上させた構成としてある。
【００１３】
尚、このような銀糸は、防臭性、静電気防止性、防菌性、保温性を備えたものであって、フット部９以外に、後述するように腸骨固定用緊締部６や股部側編組織面部７にも使用されるものとしてある。
【００１４】
このパンティーストッキング本体１は図２に示すように、身体正面の中央に位置する正中線Ｑ側に両足Ｐの親指Ｐ１、足根中足関節それぞれを寄せ付けるために、左右のストッキング部２Ａ，２Ｂのフット部９における爪先部を、親指Ｐ１・第一中指Ｐ２を纏めて収容させる第一袋部４Ａと、第二中指・第三中指・小指を個々別々に収容させる第二袋部４Ｂ、第三袋部４Ｃ、第四袋部４Ｄとのそれぞれ四つの爪先挿入袋部４に分離して形成されている。
【００１５】
すなわち図２に示すように、この爪先挿入袋部４は、五本の足指を親指Ｐ１側から２対１対１対１に分けて仕切るための略Ｕ字型窪み状に縫設されて成る凹部５を介して分離形成されており、例えば親指Ｐ１とその隣にある第一中指Ｐ２とを纏めて収容させるための第一袋部４Ａと、第二中指・第三中指・小指を個々別々に収容させる第二袋部４Ｂ、第三袋部４Ｃ、第四袋部４Ｄとから構成されている。
【００１６】
この第一袋部４Ａと第二袋部４Ｂとの間を仕切る略Ｕ字型窪み状の凹部５は、第一中指Ｐ２と第二中指Ｐ３との間の股部に嵌め入れられることで、身体正面の中央に位置する正中線Ｑに、両足の親指Ｐ１、足根中足関節それぞれを寄せ付けさせると同時に、第二中指Ｐ３・第三中指Ｐ４・小指Ｐ５それぞれを速やかに正中線Ｑに引き寄せるものとなる。
【００１７】
尚、五本の足指を２対３に分けて挿入させる二つの爪先挿入袋部４を備えているものとしても良い。具体的には、図３に示すように、五本の足指を２対３に分けて仕切るための略Ｕ字型窪み状に縫設されて成る凹部５を介して分離形成され、例えば親指Ｐ１とその隣にある第一中指Ｐ２とを纏めて収容させるための第一袋部４Ａ、第一中指Ｐ２の隣に位置する第二中指Ｐ３・第三中指Ｐ４・小指Ｐ５それぞれを纏めて収容させるための第二袋部４Ｂとから構成されていても良いのである。
【００１８】
尚、第一中指Ｐ２と第二中指Ｐ３との間の股部から足裏側に沿っての延長線上には、足裏のツボであって指圧によって疲労回復・リラクゼーション効果を発揮させる湧泉が存在している。
【００１９】
パンティー部３には、人体の腸骨に対する締め付け作用を呈するよう銀糸できつめに編成されたベルト状の腸骨固定用緊締部６を備えている。すなわち、パンティー部３の人体の腸骨に対応する部位に、銀糸でもってベルト状にしかも少々きつめにして編み込み、人体の腸骨に対し確実に密着保持するようにしてある。また、この場合での腸骨固定用緊締部６の編組織はポリウレタン弾性糸と銀糸との交編組織等であっても良いのである。
【００２０】
パンティー部３は、股部相当部位に銀糸で網目状に閉塞編成して成る股部側編組織面部７を備えている。すなわち、パンティー部３の股部相当部位に略楕円形状の開口部を形成し、この開口部の縁端部から網掛け状に銀糸を縫製することで、網目状の股部側編組織面部７が形成されるようにしてある。このときの股部側編組織面部７の編目サイズは、股部が蒸れない程度のメッシュサイズとしてあれば、どのような編み方でも良いのである。
【００２１】
次に以上のように構成された実施の形態についての使用、動作の一例を説明するに、図１に示すように、パンティーストッキング本体１を履着するに際し、先ずフット部９の爪先挿入袋部４における第一袋部４Ａと第二袋部４Ｂとの間の凹部５を、第一中指Ｐ２と第二中指Ｐ３との間の股部に嵌め入れ、第二袋部４Ｂと第三袋部４Ｃとの間の凹部５を、第二中指Ｐ３と第三中指Ｐ４との間の股部に嵌め入れ、第三袋部４Ｃと第四袋部４Ｄとの間の凹部５を、第三中指Ｐ４と小指Ｐ５との間の股部に嵌め入れる状態にする。そして、足脛から太股にかけてレッグ部８を履着させ、腰部位にパンティー部３の腸骨固定用緊締部６を係架させるようにする。
【００２２】
こうすることで従来の歪んだ足では、図４（ａ）に示すように、第五中足骨から第一中足指節関節に体重が移動し、第一指節足でけりだすものとなって作用反作用（ベクトル（１）  とベクトル（３）  ）にズレが生じて膝の外横側に向けてＯ脚状となるような変位をもたらす力（ベクトル（４）  ）が発生し、一連の運動に歪み（ベクトル（１’）とベクトル（３’））等の変化が生じる状態となるのに対し、本発明のパンティーストッキング本体１では図４（ｂ）に示すように、身体正面の中央に位置する正中線Ｑに、両足の親指Ｐ１、足根中足関節それぞれを寄せ付けることができると同時に、第二中指Ｐ３・第三中指Ｐ４・小指Ｐ５それぞれを速やかに正中線Ｑに引き寄せることができて、従来のような膝の外横側に向けて変位をもたらすような力が自然に解消され、作用反作用（ベクトル（１）  とベクトル（２）  ）が釣り合って、正常な足姿勢が保たれる状態となる。
【００２３】
【発明の効果】
本発明は以上のように構成されているために、腰部、両脚足に履着することで身体の正中線Ｑに対する足の歪みやＯ脚等を無くし、正常な二足歩行を可能にすると共に、窮屈さを感じさせず、指を動かし易く、且つ指先に力が入って、歩行中に蹴躓いて転倒することもなく、また腰部の歪み、腰痛等を解消するばかりでなく、蒸れその他も防止できるようになるものである。
【００２４】
すなわちこれは本発明が、身体の中央に位置する正中線Ｑに両足の親指Ｐ１、足根中足関節それぞれを寄せ付けるようパンティーストッキング本体１の爪先部を、親指Ｐ１・第一中指Ｐ２を纏めて収容させる第一袋部４Ａと、第二中指Ｐ３・第三中指Ｐ４・小指Ｐ５を個々別々に収容させる第二袋部４Ｂ、第三袋部４Ｃ、第四袋部４Ｄとのそれぞれ四つの爪先挿入袋部４に分離して成るからであり、これにより、四肢と脊柱の連動と、気の流れである経絡とを考慮に入れた健康パンティーストッキングを提供することが可能となった。
【００２５】
また、身体の中央に位置する正中線Ｑに両足の親指Ｐ１、足根中足関節それぞれを寄せ付けさせるものとなり、これに追従して第二中指Ｐ３・第三中指Ｐ４・小指Ｐ５を速やかに正中線Ｑに引き寄せることができる。これにより薄筋・長内転筋・錐体筋・小内転筋・大内転筋・中間広筋・内側広筋・膝蓋靱帯・大腿道筋等、膝の上の全ての筋肉に力が入って、失禁が解消され、全ての正中線Ｑを揃えることができる。しかも鼻骨・剣状突起・臍・尾骨・恥骨・足関節等の全ての揃いを可能にする。
【００２６】
ストッキング部２Ａ，２Ｂは、足首部から太股部にかけて被着させるレッグ部８と、足首部から爪先部までを被着させるフット部９とから成り、フット部９は、銀糸を密に重ねた編組織としてあるので、摩擦の激しいフット部９自体の強度を高めさせ且つフィット性を向上させると共に、足首部から爪先部にかけて防臭性、静電気防止性、防菌性、保温性を付与することができる。
【００２７】
パンティー部３には、人体の腸骨に対する締め付け作用を呈するよう銀糸で編成されたベルト状の腸骨固定用緊締部６を備えて成るので、腰部に対しての固定性を向上させ、腰痛防止にも役立ち、防臭性、静電気防止性、防菌性、保温性を付与することができる。
【００２８】
パンティー部３は、股部相当部位に銀糸で網目状に閉塞編成して成る股部側編組織面部７を備えて成るので、股部に対し通気性、防臭性、静電気防止性、防菌性、保温性を付与することができる。特に女性の生理等によって発生した汚臭の外部への漏出等を阻止することもできる。
【図面の簡単な説明】
【図１】本発明の一実施の形態における使用状態を示す正面図である。
【図２】同じく使用状態を示すもので、（ａ）は足甲側から見た平面図、（ｂ）は足底側から見た断面図である。
【図３】他の実施の形態における使用状態を示す足甲側から見た平面図である。
【図４】同じく作用反作用のベクトルによる説明図であり、（ａ）は歪んだ足の状態、（ｂ）は正常な足の状態を示す。
【符号の説明】
Ｐ…足                              Ｐ１…親指
Ｐ２…第一中指                      Ｐ３…第二中指
Ｐ４…第三中指                      Ｐ５…小指
Ｑ…正中線
１…パンティーストッキング本体      ２Ａ，２Ｂ…ストッキング部
３…パンティー部                    ４…爪先挿入袋部
４Ａ…第一袋部                      ４Ｂ…第二袋部
４Ｃ…第三袋部                      ４Ｄ…第四袋部
５…凹部                            ６…腸骨固定用緊締部
７…股部側編組織面部                ８…レッグ部
９…フット部
【図１】
2004339636.tif 000003
【図２】
2004339636.tif 000004
【図３】
2004339636.tif 000005
【図４】
2004339636.tif 000006